(57)【特許請求の範囲】
【請求項１】
廃棄物溶融炉のコークスベッドが堆積する炉床部に設置された出湯口出口に外気と遮断するためのシールカバーを設け、該シールカバーは、溶融物を水砕化凝固させるための水槽のケーシングと直結し、さらに前記水槽の底部に溜まる凝固物を水槽外に取り出すためのスクレーパー式コンベアの出口部分に、外気と連通することなく凝固物を取り出すシール機能を備えた排出装置を設け、
前記水槽のケーシングの水面より上の気相部に炉内ガスが水砕ピット内に侵入するのを防止するパージガスを供給するラインを設け、前記パージガスが、常に炉内圧力より高い圧力の送風空気であることを特徴とする廃棄物溶融炉の連続出湯装置。
【発明の詳細な説明】
【技術分野】
【０００１】
本発明は、廃棄物を溶融処理する廃棄物溶融炉の溶融物を炉外へ連続して取り出し凝固させる、廃棄物溶融炉の連続出湯装置に関する。
【背景技術】
【０００２】
一般廃棄物、産業廃棄物等の廃棄物を溶融処理する廃棄物溶融炉において溶融物を炉外に取り出して、凝固させるまでの過程では、多大な設備と人力を必要としている。
【０００３】
図２は従来の出湯口廻りの設備構成を示す図である。
【０００４】
図２において、廃棄物溶融炉の炉内に投入された廃棄物６は下降していくに従い溶融炉の炉底部１の炉床部に堆積しているコークスベッド５に到達する。コークスベッド５は、押込送風機２から送られた空気が廃棄物溶融炉の炉底部１に複数個設けられた送風口(羽口)３より炉内に送られ、高温燃焼されている。このため、廃棄物６の灰分は溶融され、炉底部１に溜められる。送風空気量は送風空気流量調整弁４により調整される。この溶融物１２は溶融スラグと１０〜３０％の溶融金属が混在している。
【０００５】
炉底部１に溜められた溶融物１２は間欠的に、出湯口開閉装置１６により出湯口７を開孔して取り出される。出湯口開閉装置１６による開孔時の粉じんは集じんフード１３で集じんする。溶融物１２の排出が完了すると、出湯口７は出湯口開閉装置１６に備えられた開塞装置により、不定形耐火材を出湯口７に圧入して閉塞する。
【０００６】
炉外に取出された溶融物１２は、水槽となっている水砕ピット８に落下し、着水付近の水面直下に設けられた噴射水ノズル９により水槽内で分散され、冷却凝固を促進させることにより、水砕ピット８の底部に到達するまでに完全凝固される。
【０００７】
水砕ピット８の底部に溜まった凝固物は、スクレーパー式コンベア１０により、水面上に移動し、水砕固化物の取出口１１より取出される。
【０００８】
水砕固化物は砂状のスラグと粒状のメタルとなっており、後工程で分離し、各々資源として活用されている。
【０００９】
前記従来の方法では、炉内の溶融物を間欠的に取り出すための出湯口開閉装置１６が必要であるため、そのためのコストがかかりかつ操作するための人力も必要となる。また、出湯している時間が短く、出湯時には一気に水砕ピット８に流れこむが、１０〜３０％の溶融金属を含む溶融物を水槽内で完全に凝固させるためには噴射ノズル９を強力にする必要があることに加え、十分な水深Ｈが必要となって水砕ピット８が大きくなる等のコスト的な問題をかかえている。通常この水深は３ｍ程度必要としている。
【００１０】
一方、出湯口７からは、出湯口開閉装置１６による開孔時の粉じんの発生や、出湯完了時には炉内ガスが噴出し、炉外の作業環境を悪化させるため、出湯口前の集じん装置を必要とする等の問題があった。
【００１１】
かかる間欠出湯方式に起因する諸問題を解決する方法として、連続出湯の方式が知られている（特許文献１）。
【００１２】
図３は従来技術に係る連続出湯を行うための出湯口廻りの構造を示す断面図である。図１と同一部材には同一符号を付してその説明は省略する。
【００１３】
図３において、出湯口７の出口に炉内と連通する水封筒１４を設け、この水封筒１４を水砕ピット８の水面下に沈めることにより水封状態とすることにより、完全に外気を遮断して連続的に出湯を可能とする方式である。
【特許文献１】特開平２００２−１２２３１９号公報
【発明の開示】
【発明が解決しようとする課題】
【００１４】
しかしながら、前記特許文献１に記載の方式では、廃棄物溶融炉１の炉内圧力に相当する水柱高さ分シールカバー１４内の水面は運転状態における水封高さｈ‘に下げられるため、水封高さｈは最大炉内圧を想定して決定されることになる。特に炉内圧が高い場合は非現実的な高さが必要となる。通常、炉内圧力は０〜２．５ｍＨ２Ｏの間で変動するため、少なくとも３ｍ程度の水封高さが必要となる。そのため、水砕ピット８の水深Ｈが深くなり、水砕ピット８が大きくなるという問題がある。また、水位が炉内圧力により常に変動することも安定したスラグ品質を確保する上で問題となる。
【００１５】
また、コークスベッド式廃棄物溶融炉の場合、溶融物は、高温のため多量に溶融物に溶け込んだガスにより凝固時に発泡状態となり、軽石状で水面に浮くものも発生することがあり、これは水封筒１４から取り出せず、浮上スラグ１５として水面上に残ることになる。
【００１６】
この浮上スラグ１５が蓄積すると溶融物の水中への直接侵入が防げられて正常な砂状のスラグの形成ができず、また水封筒１４内で閉塞の危険がある。
【００１７】
そこで、本発明は、炉内圧力が高い廃棄物溶融炉においても連続出湯が可能で、水砕ピットが大幅にコンパクト化され且つ集じん装置および出湯口開閉装置が不要となる廃棄物溶融炉の連続出湯装置を提供するものである。
【課題を解決するための手段】
【００１８】
本発明は、連続出湯の場合の水封方式での問題を解決する手段として、出湯口を外気と遮断するシールカバーで覆い、水砕ピットと連結するが、シールカバーは水中には入れない方式としたものである。
【００１９】
具体的には、本発明の廃棄物溶融炉の連続出湯装置は、廃棄物溶融炉のコークスベッドが堆積する炉床部に設置された出湯口出口に外気と遮断するためのシールカバーを設け、該シールカバーは、溶融物を水砕化凝固させるための水槽のケーシングと直結し、さらに前記水槽の底部に溜まる凝固物を水槽外に取り出すためのスクレーパー式コンベアの出口部分に、外気と連通することなく凝固物を取り出すシール機能を備えた排出装置を設け、前記水槽のケーシングの水面より上の気相部に炉内ガスが水砕ピット内に侵入するのを防止するパージガスを供給するラインを設け、前記パージガスが、常に炉内圧力より高い圧力の送風空気であることを特徴とする。
【００２０】
また、炉内ガスが水砕ピット内に侵入するのを防止するため、常に炉内圧力より高い圧力源からパージ用として空気を吸込む方式とする。この空気源として押込送風機からの送風空気を分岐させ、調節弁で制御して吹込む方式としている。水砕ピット内に吸込まれた空気は溶融炉下部に設置された送風口と同じく、出湯口から炉内に入ることになる。
【００２１】
このため、溶融炉内圧力が変動しても常にパージ空気が送られているため、水砕ピット内に炉内ガスが侵入することはない。また、出湯口から炉内への吹込空気が炉床上のコークス燃焼に寄与することになり炉床温度を上昇させ溶融物の粘性を下げ排出を促進させる効果がある。
【００２２】
水砕ピットでは、底部に溜まったスラグがスクレーパー式コンベアにより水面から上にかき上げられ、排出口より排出されるが、水砕ピットは溶融炉炉内圧力と同等以上の圧力を有しているため、固化物を取り出す取り出し口にはガスシール機能を有した排出装置を設けている。排出装置は、一つの手段として２重シールダンパを設けた例を示している。このシール機能により水砕ピット内の圧力維持を行ったまま排出することができる。
【００２３】
また、前述の浮上スラグが発生しても、噴射水ノズルにより発生する水流により排出側に移動し、スクレーパー式コンベアにて排出され、水砕ピット水面上に蓄積することはない。
【００２４】
さらに、溶融物が持ち込む熱により発生する水温上昇に対しては、例えば、特開２００４−５０１３６号公報に示す様に水砕ピット内に間接冷却式の冷却装置２１を内設し、冷却水により間接冷却できる。
【発明の効果】
【００２５】
本発明により、水封方式が困難な炉内圧力が高い廃棄物溶融炉においても、連続出湯が可能となった。
【００２６】
また、本発明の連続出湯化の効果としては、水砕ピットが大幅にコンパクト化されかつ外気と完全に遮断されるため、作業環境上の問題がなくなり、集じん装置が不要となるとともに、出湯口開閉機も不要となった。
【００２７】
さらに、本発明により、溶融炉側でも連続出湯化によって炉底部に湯溜まりのための空間が不要となり、コンパクトな炉底となり、コークス使用量も大幅に低減できる等の顕著な効果がある。
【発明を実施するための最良の形態】
【００２８】
本発明の実施例を図面により説明する。
【実施例】
【００２９】
図１は本発明に係る廃棄物溶融炉の出湯口廻りの構造を示す断面図である。
【００３０】
図１において、廃棄物溶融炉１の炉内に投入された廃棄物６は、下降していくに従い溶融炉の炉底部１の炉床部に堆積しているコークスベッド５に到達する。コークスベッド５は、押込送風機２から送られた空気が炉底部１に複数個設けられた送風口(羽口)３より炉内に送られ、高温燃焼されている。このため、廃棄物６の灰分は溶融され、コークスベッド層を滴下し、炉床部に降下する。送風空気量は送風空気流量調整弁４により調整する。
【００３１】
出湯口７は、外気と遮断するシールカバー２２で覆い、水砕ピット８と連結する。ただし、シールカバー２２は水中には挿入しない。水砕ピット８内は常に炉内と連通状態となるため、水砕ピット８は炉内圧力に耐えられるものとする。
【００３２】
また、炉内ガスが水砕ピット８内に侵入するのを防止するため、常に炉内圧力より高い圧力源からパージ用として空気を吸込む方式とし、例えば、押込送風機２からの送風空気を分岐させ、調節弁２０で制御して吹込む方式とする。水砕ピット８内に吸込まれた空気は溶融炉の炉底部１の下部に設置された送風口３と同じく、出湯口７から炉内に入ることになる。このため、溶融炉内圧力が変動しても常にパージ空気が送られているため、水砕ピット８内に炉内ガスが侵入することはない。また、出湯口からの吹込空気が炉床上のコークス燃焼に寄与することになり、炉床温度を上昇させ溶融物の粘性を下げて排出を促進させる効果がある。
【００３３】
水砕ピット８は、底部に溜まったスラグをスクレーパー式コンベア１０により水面から上にかき上げられ、排出口１１より排出されるが、水砕ピット８は溶融炉炉内圧力と同等以上の圧力を有しているため固化物を取り出す水砕固化物取出口１１にはガスシール機能を有した排出装置を設けている。図１の例では２重シールダンパ１７を設けることにより、水砕ピット８内の圧力維持を行ったまま固化物を排出することができる。２重シールダンパ１７から排出された固化物は移送コンベア１８で搬送される。
【００３４】
また、浮上スラグが発生しても、浮上スラグは、噴射水ノズル９により発生する水流により排出側に移動し、スクレーパー式コンベア１０にて排出され、水砕ピット内に蓄積することはない。
【００３５】
さらに、溶融物が侵入することにより発生する水砕ピット８内の水温上昇に対しては、間接冷却式の冷却装置２１配置して、冷却水により間接冷却できる。
【図面の簡単な説明】
【００３６】
【図１】本発明に係る廃棄物溶融炉の出湯口廻りの構造を示す断面図である。
【図２】従来技術に係る廃棄物溶融炉の出湯口廻りの構造を示す断面図である。
【図３】従来技術に係る廃棄物溶融炉の連続出湯を行うための出湯口廻りの構造を示す断面図である。
【符号の説明】
【００３７】
１．炉底部                      ２．押込送風機
３．送風口                      ４．送風空気流量調節弁
５．コークスベッド              ６．廃棄物
７．出湯口                      ８．水砕ピット
９．噴射水ノズル              １０．スクレーパー式コンベア
１１．水砕固化物取出口          １２．溶融物
１３．集じんフード              １４．水封筒
１５．浮上スラグ                １６．出湯口開閉装置
１７．２重シールダンパ          １８．移送コンベア
１９．パージ用空気ライン        ２０．パージ用空気流量調節弁
２１．水砕ピット水冷却装置      ２２．シ−ルカバー
Ｈ．水深                        ｈ．最大水封高さ
ｈ’．運転状態における水封高さ
【図１】
0005032901.tif 000002
【図２】
0005032901.tif 000003
【図３】
0005032901.tif 000004